(57)【要約】【課題】電力消費量を増大させることなく、所定の一方向に沿って広範囲を照明することができるヘッドライトを提供する。【解決手段】ヘッドライト１は、作業者の頭部に装着されて、当該頭部の前方を照明する。ヘッドライト１は、左右方向に並ぶ、左ライト７Ｌ、中ライト７Ｃおよび右ライト７Ｒを含む。左ライト７Ｌは、上方から見て、前方に向かうに従って左光軸ＡＬが左方に傾斜するように設けられている。右ライト７Ｒは、上方から見て、前方に向かうに従って右光軸ＡＲが右方に傾斜するように設けられている。照明対象３における各ライト７Ｌ，７Ｃ，７Ｒからの光の照射領域ＲＬ，ＲＣ，ＲＲが左右方向に沿って並ぶ。【選択図】図５
2017186693.tif 000002
【特許請求の範囲】
【請求項１】
利用者の頭部に装着されて、当該頭部の前方を照明するヘッドライトであって、
光源を有する複数のライトを含み、
前記複数のライトは、前記前方の照明対象における各光源からの光の照射領域が所定の一方向に沿って並ぶように設けられている、ヘッドライト。
【請求項２】
前記複数のライトのうち互いに隣り合う少なくとも一対のライトは、当該一対の光源の光軸を含む第１の仮想面に直交する方向から見て、前方に向かうに従って当該一対の光源の光軸が互いに離反するように設けられている、請求項１に記載のヘッドライト。
【請求項３】
前記一対の光源の光軸同士がなす角度は１７°〜２５°である、請求項１または２に記載のヘッドライト。
【請求項４】
前記複数のライトは、前記一方向に沿ってこの順で並ぶ第１、第２および第３のライトを含み、
前記第１および第３のライトは、前記第２のライトの光源の光軸を含みかつ前記１のライトの光源および前記第３のライトの光源を通る第２の仮想面に直交する方向から見て、前方に向かうに従って前記第１のライトの光源の光軸が前記第２のライトの光源の光軸から離反する方向に傾斜し、かつ前方に向かうに従って前記第３のライトの光源の光軸が前記第２のライトの光源の光軸から離反するように傾斜するように設けられている、請求項１〜３のいずれか一項に記載のヘッドライト。
【請求項５】
前記第１のライトおよび／または前記第３のライトは、前記第２のライトに対し、前記第２の仮想面に直交する回転軸線回りに回動可能に設けられている、請求項４に記載のヘッドライト。
【発明の詳細な説明】
【技術分野】
【０００１】
本発明は、頭部に装着して前方を照らすためのヘッドライトに関する。
【背景技術】
【０００２】
下記特許文献１には、帽子取付型発光具が開示されている。帽子取付型発光具は、夜間や暗がりの活動に際し利用者の頭部に装着され、利用者の前方を照明する。この文献では、発光具本体の前面に、複数（たとえば３個）のライトが左右方向に沿って並置された構成が提案されている。
【先行技術文献】
【特許文献】
【０００３】
【特許文献１】特表２０１１−５１０１８５号公報
【発明の概要】
【発明が解決しようとする課題】
【０００４】
このようなヘッドライト（帽子取付型発光具）には、左右方向の照明幅が広範囲に求められる場合がある。
特許文献１の構成では、本体部の前面にライトが３個設けられているものの、各ライトが前方を向いているために、所定の一方向（左右方向）の照明範囲を大きく稼ぐことができない。本体部の前面に配置するライトの個数を増やして対応することも考えられるが、頭部に装着するヘッドライトに搭載可能なライトの個数には限度があり、そのため、多数のライトを搭載することはできない。
【０００５】
また、各ライトから放たれる光の量を多くすることも考えられるが、この場合、ヘッドライトの電力消費量が増大し、電池の消耗が大きくなるおそれがある。
そこで、この発明の目的は、電力消費量を増大させることなく、所定の一方向に沿って広範囲を照明することができるヘッドライトを提供することである。
【課題を解決するための手段】
【０００６】
前記の目的を達成するための請求項１に記載の発明は、利用者の頭部に装着されて、当該頭部の前方を照明するヘッドライトであって、光源を有する複数のライトを含み、前記複数のライトは、前記前方の照明対象における各光源からの光の照射領域が所定の一方向に沿って並ぶように設けられている、ヘッドライトを提供する。
請求項２に記載の発明は、前前記複数のライトのうち互いに隣り合う少なくとも一対のライトは、当該一対の光源の光軸を含む第１の仮想面に直交する方向から見て、前方に向かうに従って当該一対の光源の光軸が互いに離反するように設けられている、請求項１に記載のヘッドライトである。
【０００７】
請求項３に記載の発明は、前記一対の光源の光軸同士がなす角度は１７°〜２５°である、請求項１または２に記載のヘッドライトである。
請求項４に記載の発明は、前記複数のライトは、前記一方向に沿ってこの順で並ぶ第１、第２および第３のライトを含み、前記第１および第３のライトは、前記第２のライトの光源の光軸を含みかつ前記１のライトの光源および前記第３のライトの光源を通る第２の仮想面に直交する方向から見て、前方に向かうに従って前記第１のライトの光源の光軸が前記第２のライトの光源の光軸から離反する方向に傾斜し、かつ前方に向かうに従って前記第３のライトの光源の光軸が前記第２のライトの光源の光軸から離反するように傾斜するように設けられている、請求項１〜３のいずれか一項に記載のヘッドライトである。
【０００８】
請求項５に記載の発明は、前記第１のライトおよび／または前記第３のライトは、前記第２のライトに対し、前記第２の仮想面に直交する回転軸線回りに回動可能に設けられている、請求項４に記載のヘッドライトである。
【発明の効果】
【０００９】
この発明によれば、電力消費量を増大させることなく、所定の一方向に沿って広範囲を照明することができるヘッドライトを提供できる。
【図面の簡単な説明】
【００１０】
【図１】図１は、本発明の一実施形態に係るヘッドライトをヘルメットに装着した状態を示す斜視図である。
【図２】図２は、前記ヘッドライトに含まれるライトユニットの構成例を説明するための斜視図である。
【図３】図３は、前記ライトユニットの構成例を分解して示す斜視図である。
【図４】図４は、図２の切断面線IV-IVから見た断面図である。
【図５】図５は、左ライト、中ライトおよび右ライトからの照明対象への照明状態を示す、図３等の上方から見た図である。
【図６Ａ−６Ｃ】図６Ａ−６Ｃは、左ライト、中ライトおよび右ライトからの照明対象への照明状態を示す正面図である。
【図７】図７は、本発明の変形例に係るライトユニットを説明するための図である。
【発明を実施するための形態】
【００１１】
以下では、本発明の実施形態を、添付図面を参照して詳細に説明する。
図１は、本発明の一実施形態に係るヘッドライト１をヘルメット２に装着した状態を示す斜視図である。
ヘッドライト１は、たとえば、ライトを３つ有する３灯型のヘッドライトである。ヘッドライト１は、作業者（利用者）の頭部に装着されるヘルメット２に装着されて、たとえば夜間の保線作業の際に作業者の頭部の前方の照明対象３を照明する。ヘッドライト１の使用により、作業者の前方が明るく照らされ、かつ作業者はハンズフリーの状態を得ることができ、これにより、作業者が保線作業を良好に行うことができる。以下、作業者の頭部の前方を「前方」とし、作業者の頭部の後方を「後方」として説明する。また、作業者の左方を「左方」とし、作業者の右方を「右方」として説明する。
【００１２】
ヘッドライト１は、ヘルメット２の周囲に巻き回されてヘルメット２に装着されるヘッドベルト４と、ヘッドベルト４の途中部に取り付けられた支持ベース５と、支持ベース５に着脱可能に装着されるライトユニット６と、ヘッドベルト４に取り付けられた電池ボックス（図示しない）とを含む。ヘッドライト１は、ライトユニット６および支持ベース５が前方に位置し、かつ電池ボックス（図示しない）が後ろ側に位置するような姿勢で、ヘルメット２に装着される。支持ベース５へのライトユニット６は、ボルト（図示しない）等の締結具を介して取り付けられる。また、ライトユニット６は支持ベース５に取り付けられた状態で、左右方向に沿う回転軸線Ａ１（図４参照）まわりに回動可能に設けられている。これにより、ライトユニット６の支持ベース５に対する姿勢が変更（傾倒）可能である。支持ベース５は、ヘッドベルト４の周面に沿う板状をなし、たとえば樹脂材料を用いて形成されている。
【００１３】
図２は、ヘッドライト１に含まれるライトユニット６の構成例を説明するための斜視図である。図３は、ライトユニット６の構成例を分解して示す斜視図である。
ライトユニット６は、左ライト（第１のライト）７Ｌ、中ライト（第２のライト）７Ｃおよび右ライト（第３のライト）７Ｒと、これら３つのライト７Ｌ，７Ｃ，７Ｒを保持するホルダ８とを含む。ホルダ８に保持された状態で、これら３つのライト７Ｌ，７Ｃ，７Ｒは、左右方向（所定の一方向に沿う方向）に並んでいる。３つのライト７Ｌ，７Ｃ，７Ｒは、それぞれ、作業者の頭部の前方を照明するためのライトである。
【００１４】
左ライト７Ｌは、光源としての左ＬＥＤ９Ｌを備える。中ライト７Ｃは、光源としての中ＬＥＤ９Ｃを備える。右ライト７Ｒは、光源としての右ＬＥＤ９Ｒを備える。この実施形態では、左ライト７Ｌおよび右ライト７Ｒの構成は、同一の諸元（大きさおよび形状）を有している。また、中ライト７Ｃの構成は、ライトユニット６を操作するための構成（操作スイッチ２３（図４参照）およびスイッチイング機構２４（図４参照））を備える点を除き、左ライト７Ｌおよび右ライト７Ｒと同一の諸元を有している。
【００１５】
図２および図３では、中ＬＥＤ９Ｃが水平になる場合、すなわち、中ライト７Ｃが水平姿勢をなす状態（つまり、作業者が、頭を上げて水平前方を向いている状態）を示す（後述する図４においても同じ）。以下、この状態に例に挙げて、ライトユニット６の各部の構成について説明する。中ライト７Ｃが水平姿勢をなす状態での上方および下方を、それぞれ「上方」および「下方」として説明する。図２には、ライトユニット６を前斜め上方から見た図を示し、図３には、ライトユニット６を左斜め後ろ上方から見た状態を示す。
【００１６】
この実施形態では、中ライト７Ｃが水平姿勢をなしている状態で、左ライト７Ｌおよび右ライト７Ｒは、それぞれ水平姿勢をなす。また、この状態において、前方から見たときの、左ライト７Ｌおよび右ライト７Ｒの上下方向高さは、中ライト７Ｃと揃っている。すなわち、ＬＥＤ９Ｌ，９Ｃ，９Ｒが上下方向高さも揃っている（ＬＥＤ９Ｌ，９Ｃ，９Ｒが正面視で一直線上に並んでいる）。
【００１７】
また、上方から見たとき、左ライト７Ｌは中ライト７Ｃに対し、前方が左方に傾斜している。右ライト７Ｒは中ライト７Ｃに対し、前方が右方に傾斜している。この点がこの発明の特徴の一つである。
ホルダ８は、３つのライト７Ｌ，７Ｃ，７Ｒを下方から支持する保持プレート１０と、保持プレート１０と支持ベース５とを接続する接続部材１１とを含む。
【００１８】
保持プレート１０は、ヘルメット２の外周に沿うように、上方から見たときの形状が略円弧状である。保持プレート１０の上面には、３つのライト７Ｌ，７Ｃ，７Ｒを載置するための３つの窪み１２Ｌ，１２Ｃ，１２Ｒが形成されている。各窪み１２Ｌ，１２Ｃ，１２Ｒの底面は、対応するライト７Ｌ，７Ｃ，７Ｒの外周面に沿う円筒面である。窪み１２Ｌ，１２Ｃ，１２Ｒの個々の底部には、ボルト３１，３２（図４参照）を挿通させるための前後一対のボルト挿通穴１３が形成されている。外周円筒状をなす３つのライト７Ｌ，７Ｃ，７Ｒが円筒状の窪み１２Ｌ，１２Ｃ，１２Ｒに嵌ることにより、各ライト７Ｌ，７Ｃ，７Ｒの、対応する窪み１２Ｌ，１２Ｃ，１２Ｒへの位置決めを行うことができる。保持プレート１０は、図３等の例では、たとえばＡＢＳ樹脂等の樹脂材料を用いて形成されている。なお、保持プレート１０が、アルミニウム等の金属材料を用いて形成されていてもよい。
【００１９】
接続部材１１は、ブロック状である。接続部材１１は、支持ベース５に、回転軸線Ａ１（図４参照）まわりに回動可能に取り付けられている。接続部材１１は、保持プレート１０の左右方向の中央部を下方から支持する支持面１４と、ボルト３１を挿通させるためのボルト挿通穴１５と、接続部材１１の後部分に設けられて、支持ベース５の前面に設けられた係合突起（図示しない）と係合して、支持ベース５に対する姿勢を段階的に変化させるためのラチェット部１６とを含む。接続部材１１は、図３等の例では、たとえばＡＢＳ樹脂等の樹脂材料を用いて形成されている。
【００２０】
図３の例では、保持プレート１０と接続部材１１とは別部材を用いて構成されているが、保持プレート１０と接続部材１１とが一体に設けられていてもよい。
図４は、図２の切断面線IV-IVから見た断面図である。以下、図４を参照しながら、中ライト７Ｃを説明する。また、前述のように、中ライト７Ｃの構成は、ライトユニット６を操作するための構成（操作スイッチ２３およびスイッチイング機構２４）を含む点を除き、左ライト７Ｌおよび右ライト７Ｒと同一の諸元を有しているので、左ライト７Ｌおよび右ライト７Ｒについての説明は省略する。
【００２１】
中ライト７Ｃは、円筒状のハウジング１７と、ＬＥＤ１８（この場合、中ＬＥＤ９Ｃ）と、レンズ１９と、スペーサ２０と、放熱板２１と、基板２２と、操作スイッチ２３およびスイッチイング機構２４とを含む。中ライト７Ｃが水平姿勢をなす状態では、ハウジング１７の中心軸が水平である。
ハウジング１７は、前方が開口している。ハウジング１７は円筒２５と、円筒２５の前端部に装着されるリング状部材２６と、円筒２５の後端部に装着され、円筒２５の後端部を覆う後蓋２７とを有している。リング状部材２６は、ねじ嵌合により円筒２５の前端部に結合されている。リング状部材２６は、円筒２５への結合状態においてレンズ１９と干渉し、当該レンズ１９が前方の開口から前方に飛び出すのを阻止している。後蓋２７は、ねじ嵌合により円筒２５の後端部に結合されている。
【００２２】
ＬＥＤ１８は、半球ドーム状の透明樹脂のほぼ中心にＬＥＤチップが配置されたドーム型のＬＥＤパッケージである。ＬＥＤ１８の後面には、放熱板２１が接触配置されている。ＬＥＤ１８の前面には、ＬＥＤ１８のドーム部分の周囲を取り囲むように環状のスペーサ２０が接触配置されている。
レンズ１９は略半球状である。レンズ１９は、平面側を前方に、かつ球面側を後方に向けて配置されている。レンズ１９の後端部には、半球面によって凹部２８が区画されており、この凹部２８によって、ＬＥＤ１８のドーム部分の周囲が隙間を空けて取り囲まれている。レンズ１９は、ＬＥＤ１８から発せられる光を収束させて、その光に、前方に強い指向性を持たせる。ＬＥＤ１８（すなわち、各ＬＥＤ９Ｌ，９Ｃ，９Ｒ）の明るさは、たとえば２００ｌｍである。
【００２３】
基板２２には、配線３３（図２および図３では図示を省略）を介して電池ボックス（図示しない）内の電池からの電力が与えられている。基板２２は、各ライト７Ｌ，７Ｃ，７Ｒへの給電を制御することにより、各ＬＥＤ９Ｌ，９Ｃ，９Ｒを点灯／消灯させることができる。
中ライト７Ｃは、左ライト７Ｌおよび右ライト７Ｒと異なり、操作スイッチ２３およびスイッチイング機構２４を含む。操作スイッチ２３は円筒２５の上端部に配置されている。スイッチイング機構２４は、操作スイッチ２３に接続されており、かつ基板２２に実装されている。
【００２４】
全てのライト７Ｌ，７Ｃ，７ＲのＬＥＤ１８の消灯状態で、操作スイッチ２３が押操作されると、中ライト７ＣのＬＥＤ１８（すなわち中ＬＥＤ９Ｃ）だけが点灯する。その後、操作スイッチ２３が押操作されると、全てのライト７Ｌ，７Ｃ，７ＲのＬＥＤ１８（すなわち、左ＬＥＤ９Ｌ、中ＬＥＤ９Ｃおよび右ＬＥＤ９Ｒ）が点灯する。その後、操作スイッチ２３が再度押操作されると、全てのライト７Ｌ，７Ｃ，７ＲのＬＥＤ１８（すなわち、左ＬＥＤ９Ｌ、中ＬＥＤ９Ｃおよび右ＬＥＤ９Ｒ）が消灯する。
【００２５】
円筒２５の下端部には、前後一対のねじ穴３０が形成されている。前方のねじ穴３０には、ボルト挿通穴１３を介して、ボルト３１がねじ締結される。また、後ろ側のねじ穴３０には、ボルト挿通穴１３およびボルト挿通穴１５を介して、ボルト３２がねじ締結される。これらのボルト３１，３２の締結により、保持プレート１０と各ライト７Ｌ，７Ｃ，７Ｒとの結合が図られている。また、ボルト３２の締結により、保持プレート１０と接続部材１１との結合も図られている。
【００２６】
なお、左ライト７Ｌおよび右ライト７Ｒの後ろ側のねじ穴３０には、接続部材１１のボルト挿通穴１５を介さずに、ボルト挿通穴１３のみを介してボルト３２がねじ締結されている。
この実施形態では、各ライト７Ｌ，７Ｃ，７Ｒが、前後２箇所において保持プレート１０にねじ固定されている。そして、円筒面を有する窪み１２Ｌ，１２Ｃ，１２Ｒにライト７Ｌ，７Ｃ，７Ｒが嵌っていることも相俟って、保持プレート１０への取り付け状態において、各ライト７Ｌ，７Ｃ，７Ｒが、図２〜図４の上下方向に沿う所定の回転軸線回りに回動することはない。
【００２７】
図５は、左ライト７Ｌ、中ライト７Ｃおよび右ライト７Ｒからの照明対象３への照明状態を示す、図３等の上方から見た図である。図５に示すように、左ライト７Ｌは、中ライト７Ｃに対し、図２〜図４における上方（左ＬＥＤ９Ｌの光軸ＡＬ（以下、「左光軸ＡＬ」という）と、中ＬＥＤ９Ｃの光軸ＡＣ（以下、「中光軸ＡＣ」という）とを含む第１の仮想面に直交する方向）（左右のＬＥＤ９Ｌ，９Ｒを通りかつ中光軸ＡＣを含む第２の仮想面に直交する方向）から見て、前方に向かうに従って左方に傾斜する姿勢をなす。具体的には、左光軸ＡＬが、前方に向かうに従って、中光軸ＡＣに対し左方に傾斜（中光軸ＡＣから離反する方向に傾斜）している。上方から見て、左光軸ＡＬと中光軸ＡＣとの間の傾斜角θ１は、１７°〜２５°であり、より好ましくは約２０°である。
【００２８】
また、図５に示すように、右ライト７Ｒは、中ライト７Ｃに対し、図２〜図４における上方（右ＬＥＤ９Ｒの光軸ＡＲ（以下、「右光軸ＡＲ」という）と、中光軸ＡＣとを含む第１の仮想面に直交する方向）から見て、前方に向かうに従って右方に傾斜する姿勢をなす。具体的には、右光軸ＡＲが、前方に向かうに従って、中光軸ＡＣに対し右方に傾斜（中光軸ＡＣから離反する方向に傾斜）している。上方から見て、右光軸ＡＲと中光軸ＡＣとの間の傾斜角θ２は、１７°〜２５°であり、より好ましくは約２０°である。
【００２９】
なお、前述のように、中ライト７Ｃが水平姿勢をなしている状態で、左ライト７Ｌおよび右ライト７Ｒはそれぞれ水平姿勢をなしており、そのため、左右方向から見て、左光軸ＡＬ、中光軸ＡＣおよび右光軸ＡＲは互いに同じ方向に沿っている。
図５に示すように、ヘッドライト１を用いて、所定の距離Ｌ前方に離れた照明対象３を照射する場合について説明する。距離Ｌは、たとえば２ｍである。
【００３０】
図６Ａ〜６Ｃは、照明対象３における光の照射領域を示す図である。図６Ａ〜６Ｃには、所定値以上（たとえば約１００ルクス以上）の輝度を有する照射領域ＲＬ，ＲＣ，ＲＲを円で示している。この場合、照明対象３において、左右方向の光の全体照射幅（照明幅）Ｗは２ｍに達する。
図６Ａ〜６Ｃに示すように、２ｍ前方に離れた照明対象３において、ライト７Ｌ，７Ｃ，７Ｒからの光による略円形の３つの照射領域ＲＬ，ＲＣ，ＲＲ（それぞれ、たとえば直径約７０ｃｍの略円）が、左右方向に沿って並ぶ。各照射領域ＲＬ，ＲＣ，ＲＲの明るさは、その周縁部で約１００ルクスであり、その中央部で約３００ルクスである。これにより、「２ｍ先にある横長２ｍの領域」を、ヘッドライト１をより十分な輝度で照明できる。
【００３１】
夜間の保線作業においてヘッドライト１を用いる場合、作業者は、保線作業中においては、中ライト７Ｃ（中ＬＥＤ９Ｃ）だけを点灯させる。そして、保線作業の終了後には、作業終了確認（保線作業の跡の確認の他、治具等の忘れがないことの確認を含む）のために全てのライト７Ｌ，７Ｃ，７Ｒ（ＬＥＤ９Ｌ，９Ｃ，９Ｒ）を点灯させる。「２ｍ先にある横長２ｍの領域」をヘッドライト１からの光で照射しながら、作業者が作業終了確認を行う。これにより、作業終了確認を良好に行うことができる。
【００３２】
図６Ａには、傾斜角θ１および傾斜角θ２をそれぞれ約２０°に設定した例を示す。この例では、隣接する照射領域同士（照射領域ＲＬ，ＲＣおよび照射領域ＲＣ，ＲＲ）が僅かに重なっている。
図６Ｂには、傾斜角θ１および傾斜角θ２をそれぞれ約１７°に設定した例を示す。この例では、隣接する照射領域同士（照射領域ＲＬ，ＲＣおよび照射領域ＲＣ，ＲＲ）が一定面積（図６Ａよりも多面積）で重なっている。
【００３３】
図６Ｃには、傾斜角θ１および傾斜角θ２をそれぞれ約２５°に設定した例を示す。この例では、隣接する照射領域同士（照射領域ＲＬ，ＲＣおよび照射領域ＲＣ，ＲＲ）が左右方向に僅かに離れている。
本願発明者らによる試験の結果、傾斜角θ１および傾斜角θ２は、それぞれ約２０°に設定することが最も好ましい。傾斜角θ１および傾斜角θ２の各々が１７°未満になると、全体照射幅Ｗが２ｍを確保することができない。また、傾斜角θ１および傾斜角θ２の各々が２５°を超えると、各照射領域ＲＬ，ＲＣ，ＲＲが離れすぎてしまい、全体照射幅Ｗ内において光が照射されない領域が発生する。
【００３４】
ところで、仮に、ライト７Ｌ，７Ｃ，７Ｒを、光軸ＡＬ，ＡＣ，ＡＲが、図２〜図４における上方から見て互いに平行になるように配置した場合、３つの照射領域の大部分が重なり、全体として一つの略円形の照射領域をなす。この場合において、各ＬＥＤ９Ｌ，９Ｃ，９Ｒの明るさを高めて照射領域の直径を拡大することにより、この略円形の照射領域における左右方向幅を２ｍに広げることも可能である。しかしながら、この場合には、略円形の照射領域の直径が大きくなり過ぎてしまい、本来照明する必要のない領域（図６における照射領域ＲＬ，ＲＣ，ＲＲの上下の領域）に対しても光を照射してしまう。そのため、電力消費量が増大し、電池の消耗が大きくなるおそれがある。
【００３５】
以上によりこの実施形態によれば、左ライト７Ｌおよび右ライト７Ｒは、図２〜図４における上方から見て、前方に向かうに従って、左光軸ＡＬおよび右光軸ＡＲが、それぞれ、中光軸ＡＣから離反する方向に傾斜するように設けられている。これにより、照明対象３におけるＬＥＤ９Ｌ，９Ｃ，９Ｒからの光による照射領域ＲＬ，ＲＣ，ＲＲが、左右方向に沿って並ぶ。したがって、電力消費量を増大させることなく、照明対象３を左右方向に沿って広範囲を照明することができるヘッドライトを提供できる。
【００３６】
以上、この発明の一実施形態について説明したが、この発明は、他の形態で実施することもできる。
たとえば、図７に示すように、左ライト７Ｌおよび／または右ライト７Ｒが、中ライト７Ｃに対し、図２〜図４の上下方向に沿う回転軸線Ａ２回りに回動可能に設けられてもよい。すなわち、傾斜角θ１および／または傾斜角θ２が変更可能に設けられていてもよい。この場合、左ライト７Ｌが、傾斜角θ１が１７°〜２５°の傾斜姿勢と、傾斜角θ１が略０°の平行姿勢との間で姿勢変更可能に設けられていてもよい。また、右ライト７Ｒが、傾斜角θ２が１７°〜２５°の傾斜姿勢と、傾斜角θ２が略０°の平行姿勢との間で姿勢変更可能に設けられていてもよい。左ライト７Ｌおよび／または右ライト７Ｒの姿勢変更を、作業者の手作業により行うようにしてもよい。
【００３７】
また、前述の実施形態において、ＬＥＤ９Ｌ，９Ｃ，９Ｒが正面視で一直線上に並んでいなくてよい。左ＬＥＤ９Ｌおよび右ＬＥＤ９Ｒが、中ＬＥＤ９Ｃに対し上寄りに配置されていてもよいし、中ＬＥＤ９Ｃに対し下寄りに配置されていてもよい。また、中光軸ＡＣおよび／または右光軸ＡＲが、左右方向から見て中光軸ＡＣに対し傾斜していてもよい。
【００３８】
また、光源として、ＬＥＤに代えて、白熱ランプを採用してもよい。
また、左ライト７Ｌおよび右ライト７Ｒの形状や大きさが、中ライト７Ｃと異なるように構成されていてもよい。
また、ライトユニット６に含まれるライト７Ｌ，７Ｃ，７Ｒの個数を３つとして説明したが、ライトの個数は２つであってもよいし、４つ以上であってもよい。この場合、複数のライトのうち互いに隣り合う少なくとも一対のライトが、当該一対の光源の光軸を含む第１の仮想面に直交する方向から見て、前方に向かうに従って当該一対の光源の光軸が互いに離反するように設けられていればよい。
【００３９】
また、各ライト７Ｌ，７Ｃ，７Ｒに含まれる光源の数は通例１つであるが、２つ以上であってもよい。
また、ライト７Ｌ，７Ｃ，７Ｒに、照射領域ＲＬ，ＲＣ，ＲＲを拡大／縮小させるためのズーム機能が搭載されていてもよい。このズーム機能は、ライト７Ｌ，７Ｃ，７Ｒ毎に設けられていてもよい。
【００４０】
また、複数のライト７Ｌ，７Ｃ，７Ｒが、左右方向ではなく、他の方向（たとえば、図２〜図４に示す上下方）に沿って並んでいてもよい。
また、ヘッドライト１は夜間の保線作業の際に用いられるとして説明したが、保線作業に限られず、夜間工事等他の作業に用いられてもよい。また、ヘッドライト１を、釣りや登山にも用いることができ、この場合、利用者が被っている帽子に取り付けたり、利用者の頭部に直接取り付けたりすることもできる。
【００４１】
その他、特許請求の範囲に記載された事項の範囲で種々の設計変更を施すことが可能で
ある。
【符号の説明】
【００４２】
１      ：ヘッドライト
３      ：照明対象
７Ｌ    ：左ライト（第１のライト）
７Ｃ    ：中ライト（第２のライト）
７Ｒ    ：右ライト（第３のライト）
８      ：ホルダ
９Ｌ    ：左ＬＥＤ（第１のライトの光源）
９Ｃ    ：中ＬＥＤ（第２のライトの光源）
９Ｒ    ：右ＬＥＤ（第３のライトの光源）
ＡＬ    ：左光軸（左ＬＥＤの光軸）
ＡＣ    ：中光軸（中ＬＥＤの光軸）
ＡＲ    ：右光軸（右ＬＥＤの光軸）
ＲＬ    ：照射領域
ＲＣ    ：照射領域
ＲＲ    ：照射領域
Ａ２    ：回転軸線
Ａ３    ：回転軸線
【図１】
2017186693.tif 000003
【図２】
2017186693.tif 000004
【図３】
2017186693.tif 000005
【図４】
2017186693.tif 000006
【図５】
2017186693.tif 000007
【図６Ａ−６Ｃ】
2017186693.tif 000008
【図７】
2017186693.tif 000009